(57)【特許請求の範囲】
【請求項１】
画像を取得する画像取得手段と、
前記画像における情報領域と背景領域とが条件等色となる色材量をそれぞれ決定する決定手段と、
前記条件等色となる光源下において、前記条件等色にならないようにするためのカラーフィルタに必要な色材量を決定するカラーフィルタ用色材量決定手段と、
前記決定手段により決定された色材量に基づいて前記画像を媒体に印刷し、かつ、前記カラーフィルタ用色材量決定手段により決定された色材量に基づいて透明な媒体にカラーフィルタを印刷する出力手段と、
分光反射率と、当該分光反射率となる印刷物を印刷するために必要な色材量とを関連付けて記憶する第１の記憶手段とを備え、
前記決定手段は、
前記情報領域および前記背景領域におけるＲＧＢ値に基づいた三刺激値となる分光反射率を決定し、
前記第１の記憶手段を参照して、前記決定した分光反射率となる色材量を特定する
ことを特徴とする画像処理装置。
【請求項２】
前記第１の記憶手段は、前記出力手段が印刷のために用いる複数の色のインクのうち、特定の色のインクの組み合わせにより再現される分光反射率と、当該特定の色のインクに係る色材量とを関連付けて記憶する
ことを特徴とする請求項１に記載の画像処理装置。
【請求項３】
透過率特性と、当該透過率特性となる印刷物を印刷するために必要な色材量とを関連付けて記憶する第２の記憶手段をさらに備え、
前記カラーフィルタ用色材量決定手段は、
前記情報領域と前記背景領域との色差が最大となるようなカラーフィルタの透過率特性を決定し、
前記第２の記憶手段を参照して、前記決定した透過率特性となる色材量を特定する
ことを特徴とする請求項１または２に記載の画像処理装置。
【請求項４】
前記画像には、前記情報領域および前記背景領域を特定するための画像が関連付けられていることを特徴とする請求項１から３のいずれか一項に記載の画像処理装置。
【請求項５】
取得手段が、画像を取得する画像取得ステップと、
決定手段が、前記画像における情報領域と背景領域とが条件等色となる色材量をそれぞれ決定する決定ステップと、
カラーフィルタ用色材量決定手段が、前記条件等色となる光源下において、前記条件等色にならないようにするためのカラーフィルタに必要な色材量を決定するカラーフィルタ用色材量決定ステップと、
出力手段が、前記算出ステップにより決定された色材量に基づいて前記画像を媒体に印刷し、かつ、前記カラーフィルタ用色材量決定ステップにより決定された色材量に基づいて透明な媒体にカラーフィルタを印刷する出力ステップと、
記憶手段に、分光反射率と、当該分光反射率となる印刷物を印刷するために必要な色材量とを関連付けて記憶させるステップとを備え、
前記決定ステップは、
前記情報領域および前記背景領域におけるＲＧＢ値に基づいた三刺激値となる分光反射率を決定し、
前記記憶手段を参照して、前記決定した分光反射率となる色材量を特定する
ことを特徴とする画像処理方法。
【請求項６】
コンピュータを、請求項１から４のいずれか一項に記載の画像処理装置として機能させるためのプログラム。
【発明の詳細な説明】
【技術分野】
【０００１】
本発明は画像処理装置に関し、特に、印刷物においてメタメリックペアとなる領域を判別するためのカラーフィルタを出力することが可能な画像処理装置に関する。
【背景技術】
【０００２】
近年、各種チケットの販売方法として、オンラインによる予約、あるいはコンビニエンスストア等の店舗窓口にてチケットを予約した後、店舗に設置してあるカラープリンタ等により、予約したチケットを出力するサービスが広がっている。このような販売方法によるチケット等の印刷物の偽造を防止するために、特殊なインクを用いて印刷して、一般的なスキャナやカラープリンタを用いた複製品とは異なる光学特性を有する印刷物を作成する技術が知られている。
【０００３】
例えば、分光反射率が異なるが、人間が見た時の色に相当する三刺激値が一致する複数の色（メタメリックペア）を、印刷物上に設けた識別部分に印刷しておく。そして、分光スペクトルを測定することにより、印刷物の真偽を判別する方法が知られている（例えば、特許文献１参照。）。
【０００４】
また、印刷物上に印刷したメタメリックペアに対し、紫外線を照射し、専用のカラーフィルタを介して反射色を観察することにより、メタメリックペアの等色関係を成り立たなくさせ、埋め込まれた情報を可視化する方法が知られている（例えば、特許文献２参照。）。
【先行技術文献】
【特許文献】
【０００５】
【特許文献１】特開２００４−２０９９０６号公報
【特許文献２】特開２００５−２６２６８１号公報
【発明の概要】
【発明が解決しようとする課題】
【０００６】
上記の従来技術では、印刷物の真偽を判別するために特別な装置を必要とする。例えば、特許文献１に係る発明では、分光反射率を測定するための専用測定装置が必要である。また、特許文献２に係る発明では、紫外線を照射するための装置と、専用のカラーフィルタとが必要である。
【０００７】
したがって、例えば、チケット販売に代表されるような、一般ユーザに対して複製防止のための技術を用いた印刷物が提供される場合、上記特許文献に係る発明のように特別な装置を必要とすることは、利便性に欠ける。
【０００８】
したがって、印刷物について真偽を判定するための特別の装置を必要とすることなく印刷物の真偽を判定できることが求められている。
【課題を解決するための手段】
【０００９】
上記課題を解決するために、本発明に係る画像処理装置は、画像を取得する画像取得手段と、前記画像における情報領域と背景領域とが条件等色となる色材量をそれぞれ決定する決定手段と、前記条件等色となる光源下において、前記条件等色にならないようにするためのカラーフィルタに必要な色材量を決定するカラーフィルタ用色材量決定手段と、前記決定手段により決定された色材量に基づいて前記画像を媒体に印刷し、かつ、前記カラーフィルタ用色材量決定手段により決定された色材量に基づいて透明な媒体にカラーフィルタを印刷する出力手段と、分光反射率と、当該分光反射率となる印刷物を印刷するために必要な色材量とを関連付けて記憶する第１の記憶手段とを備え、前記決定手段は、前記情報領域および前記背景領域におけるＲＧＢ値に基づいた三刺激値となる分光反射率を決定し、前記第１の記憶手段を参照して、前記決定した分光反射率となる色材量を特定する
ことを特徴とする。
【発明の効果】
【００１１】
本発明は、特別な装置を用いることなく真偽を判定することが可能な偽造防止技術を備える印刷物を印刷する。
【図面の簡単な説明】
【００１２】
【図１】実施例１に係る画像処理装置の構成を示すブロック図である。
【図２】実施例１に係る画像処理装置における出力処理を示すフローチャートである。
【図３】（ａ）は情報埋め込み済み画像の一例を示し、（ｂ）は領域判別用レイヤー画像の一例を示す図である。
【図４】メタメリックペアの関係にある領域の分光反射率の一例を示す図である。
【図５】（ａ）はD６５標準光源の分光放射輝度を示し、(ｂ)は求められるカラーフィルタの透過率の一例を示す図である。
【図６】メタメリックペア用の色材量を算出する処理手順を示すフローチャートである。
【図７】実施例２に係る画像処理装置の構成を示すブロック図である。
【図８】実施例２に係る画像処理装置における出力処理を示すフローチャートである。
【発明を実施するための形態】
【００１３】
（実施例１）
＜画像処理装置の構成例＞
図１は、本発明の実施例１に係る画像処理装置の構成を示すブロック図である。
【００１４】
画像処理装置１００は、画像取得部１０３、メタメリックペア用色材量算出部１０４、汎用色分解部１０５、カラーフィルタ用色材量算出部１０６、プリンタプロファイル記憶部１０７、色変換部１０８、画像出力部１０９、カラーフィルタ出力部１１０を備える。
【００１５】
また、画像処理装置１００には、画像記憶部１０２および画像出力装置１１１が接続されている。なお、画像記憶部１０２および画像出力装置１１１は、画像処理装置１００が備えるようにしてもよい。
【００１６】
画像記憶部１０２は、ハードディスクや外部メモリ等から構成され、図３（ａ）に示す埋め込み情報が付加された情報埋め込み済み画像３００、および図３（ｂ）に示す領域判別用レイヤー画像３０５を記憶する。なお、画像記憶部１０２は、情報埋め込み済み画像と領域判別用レイヤー画像とを関連付けて記憶する。
【００１７】
画像取得部１０３は、画像記憶部１０２に記憶されている情報埋め込み済み画像と領域判別用レイヤー画像とを読み出して取得する。
【００１８】
メタメリックペア用色材量算出部１０４は、図３（ａ）に示す情報埋め込み領域３０２において、背景領域３０３と情報領域３０４とがメタメリックペアの関係となるように印刷するために必要となる色材量を算出する。
【００１９】
汎用色分解部１０５は、情報埋め込み済み画像３００において、情報埋め込み領域３０２を除いた非情報埋め込み領域３０１について色材量を算出する。
【００２０】
カラーフィルタ用色材量算出部１０６は、カラーフィルタの色材量を算出する。
【００２１】
プリンタプロファイル記憶部１０７は、メタメリックペア用色材量算出部１０４、汎用色分解部１０５、およびカラーフィルタ用色材量算出部１０６において色材量を算出するためのデータを記憶する。
【００２２】
色変換部１０８は、メタメリックペア用色材量算出部１０４、および汎用色分解部１０５により算出された色材量に基づき、情報埋め込み済み画像を色変換する。
【００２３】
画像出力部１０９は、色変換部１０８により色変換された情報埋め込み済み画像を画像出力装置１１１に出力する。
【００２４】
カラーフィルタ出力部１１０は、カラーフィルタ用色材量算出部１０６により算出された色材量を画像出力装置１１１に出力する。
【００２５】
画像出力装置１１１は、色変換された情報埋め込み済み画像を印刷物として印刷（または出力）する。また、画像出力装置１１１は、カラーフィルタ出力部１１０から送信されるカラーフィルタの色材量に基づいて、カラーフィルタの色材量に基づいて、透明フィルム等、透過型のメディアを媒体としたカラーフィルタを印刷する。
【００２６】
なお、画像記憶部１０２または画像出力装置１１１は、画像処理装置１００に接続されているが、画像処理装置１００自身が備えるように構成することも可能である。
【００２７】
＜情報埋め込み済み画像および領域判別用レイヤー画像＞
次に、画像記憶部１０２に記憶される情報埋め込み済み画像および領域判別用レイヤー画像の一例について、図３を用いて詳細に説明する。なお、情報埋め込み済み画像と領域判別用レイヤー画像とは、それぞれ互いに関連付けられて画像記憶部１０２に記憶される。
【００２８】
図３（ａ）に示すように、情報埋め込み済み画像３００は、チケットに関する内容を示す情報を含む非情報埋め込み領域３０１と、情報埋め込み領域３０２とから構成される。
【００２９】
図３（ｂ）は、領域判別用レイヤー画像３０５を示す。図３（ｂ）に示すように、領域判別用レイヤー画像３０５は、情報埋め込み済み画像３００における情報埋め込み領域３０２の位置を特定するためのものである。図３（ａ）に示す情報埋め込み領域３０２は、領域判別用レイヤー画像３０５に基づいて特定される情報埋め込み領域３０２を仮想的に示している。なお、情報埋め込み領域３０２は、背景領域３０３と、情報領域３０４とから構成される。
【００３０】
本発明に係る画像処理装置において、背景領域３０３と、情報領域３０４とは、メタメリックペアの関係となるように印刷される。このようにメタメリックペアの関係となるように印刷されることにより、特定の光源下において、この印刷物における背景領域３０３と、情報領域３０４とを目視する者には同一の色に見える条件等色となる。なお、条件等色を満たさない光源下においては、背景領域３０３と、情報領域３０４とは異なる色として知覚され、結果、埋め込まれた情報である「原本」という文字が可視化されることになる。
【００３１】
＜メタメリックペア用色材量の算出＞
次に、メタメリックペア用色材量算出部１０４におけるメタメリックペア用色材量の算出処理について詳細に説明する。
【００３２】
図６は、メタメリックペア用色材量算出部１０４によるメタメリックペア用色材量の算出処理のフローを示すフロー図である。
【００３３】
まず、ステップＳ６０１において、メタメリックペア用色材量算出部１０４は、画像取得部１０３から情報埋め込み済み画像３００および領域判別用レイヤー画像３０５を取得する。そして、メタメリックペア用色材量算出部１０４は、領域判別用レイヤー画像３０５に基づいて、情報埋め込み済み画像３００における情報埋め込み領域３０２を特定する。そして、メタメリックペア用色材量算出部１０４は、特定された情報埋め込み領域３０２におけるＲＧＢ値を参照して、ＲＧＢ値を取得する。なお、情報埋め込み済み画像３００の情報埋め込み領域３０２における各画素のＲＧＢ値は同一であるものとする。
【００３４】
次に、ステップＳ６０２において、メタメリックペア用色材量算出部１０４は、情報埋め込み領域３０２のＲＧＢ値をＬａｂ値に変換する。なお、Ｌａｂ値への変換は、例えば、ｓＲＧＢ理論色を用いることにより実行することができる。
【００３５】
次に、ステップＳ６０３において、メタメリックペア用色材量算出部１０４は、インクセット１を用いて、背景領域３０３におけるＬａｂ値を再現できる色材量を算出する。
【００３６】
具体的には、メタメリックペア用色材量算出部１０４は、Ｌａｂ値を三刺激値（Ｘ、Ｙ、Ｚ）に変換し、この三刺激値を満たす分光反射率を算出する。そして、メタメリックペア用色材量算出部１０４は、プリンタプロファイル記憶部１０７に記憶されているプリンタプロファイルを参照する。そして、算出された分光反射率のうち、インクセット１（Red、Green、Blue、Blackの４色）により再現できる色材量を特定する。なお、プリンタプロファイルは、特定のインクの組み合わせからなるインクセットの色材量と、この色材量による分光反射率とを関連付けたデータであり、予め設定されているものである。したがって、プリンタプロファイル記憶部１０７は、第１の記憶部として機能するものである。
【００３７】
このように、ステップＳ６０３では、算出された分光反射率を再現できるインクセット１の色材量が算出される。
【００３８】
次に、ステップＳ６０４において、メタメリックペア用色材量算出部１０４は、インクセット２を用いて、背景領域３０３におけるＬａｂ値を再現できる色材量を算出する。
【００３９】
ステップＳ６０３による処理は、ステップＳ６０３と同様であり、インクセット２は、Cyan、Magenta、Yellow、Blackの４色から構成されるものとする。
【００４０】
ここで、ステップＳ６０３およびＳ６０４において実行される、三刺激値を満たす分光反射率を算出する方法について説明する。
【００４１】
まず、一般的に、分光反射率がＲ（λ）で表される物体の分光放射輝度がＳ（λ）で表される光源下で人により物体が知覚される場合に、三刺激値（Ｘ、Ｙ、Ｚ）は、次の式１のように表すことができる。
【００４２】
【数１】
0005641827.tif 000002
【００４３】
したがって、背景領域３０３の三刺激値（Ｘ1、Ｙ1、Ｚ1）とし、情報領域３０４の三刺激値（Ｘ2、Ｙ2、Ｚ2）とすると、次の式２の関係が成り立つ。
【００４４】
【数２】
0005641827.tif 000003
【００４５】
ここで、Ｒ1（λ）は、背景領域３０３の分光反射率であり、Ｒ2（λ）は、情報領域３０４の分光反射率である。
【００４６】
また、Ｓ（λ）は観察光源であり、図５（ａ）に示すD６５標準光源がその一例である。
【００４７】
なお、背景領域３０３と、情報領域３０４とが、メタメリックペアの関係になることにより、以下の式３の関係が成り立つ。
【００４８】
【数３】
0005641827.tif 000004
【００４９】
ステップＳ６０３において、式２および式３を満たすＲ1（λ）が算出される。また、ステップＳ６０４において、式２および式３を満たすＲ2（λ）が算出される。
【００５０】
なお、ステップＳ６０３またはＳ６０４において、変換されたＬａｂ値に対応する色材量の組み合わせが存在しない場合がある。この場合には、例えば、ステップＳ６０３において、インクセット１で再現可能なＬａｂ値の中から、このＬａｂ値に最も近いＬａｂ値となる色材量を算出し、このＬａｂ値を(Ｌ1, ａ1, ｂ1)とするようにしてもよい。同様に、ステップＳ６０４において、Ｓ６０３で算出した(Ｌ1, ａ1, ｂ1)から求まる三刺激値に基づいて、インクセット２の色材量を算出するようにしても良い。
【００５１】
＜カラーフィルタ用色材量の算出＞
次に、カラーフィルタ用色材量算出部１０６において算出されるカラーフィルタ特性について説明する。
【００５２】
カラーフィルタ用色材量算出部１０６は、メタメリックペア用色材量算出部１０４において算出されたＲ1（λ）およびＲ2（λ）を取得する。そして、カラーフィルタ用色材量算出部１０６は、以下の式４に基づいて透過率特性を示すカラーフィルタ特性Ｆ（λ）を算出する。
【００５３】
【数４】
0005641827.tif 000005
【００５４】
具体的に、カラーフィルタ用色材量算出部１０６は、Ｆ(λ)を変化させて、背景領域３０３における三刺激値（X1_F、Y1_F、Z1_F）、および、情報領域３０４における三刺激値（X2_F、Y2_F、Z2_F）からＬａｂ値を算出する。そして、算出したＬａｂ値は、（L1_F、a1_F、b1_F）、および、（L2_F、a2_F、b2_F）とする。そして、カラーフィルタ用色材量算出部１０６は、背景領域３０３の色と、情報領域３０４との色の色差（ΔＥ）が最大となるような最適なカラーフィルタ特性Ｆ(λ)を算出する。そして、カラーフィルタ用色材量算出部１０６は、プリンタプロファイル記憶部１０７に記憶されているプリンタプロファイルを参照して、算出されたカラーフィルタ特性Ｆ(λ)に対応する色材量を判別する。なお、プリンタプロファイルは、カラーフィルタ特性Ｆ(λ)を実現するための色材量を特定するためのデータであり、予め設定されているものである。したがって、プリンタプロファイル記憶部１０７は、第２の記憶部として機能するものである。
【００５５】
図５（ｂ）は、カラーフィルタ用色材量算出部１０６により算出されるカラーフィルタ特性Ｆ(λ)の一例を示す。図４（ａ）、および（ｂ）に示す分光反射率をもつ印刷物は、図５（ａ）に示す標準光源Ｄ６５下で観察した場合、人間の目には同じ色として知覚される。しかし、図５（ｂ）に示す透過率を持つカラーフィルタを介して、この印刷物を見ると、知覚される三刺激値は式４に基づくことになる。この時、背景領域の色（X1_F, Y1_F, Z1_F）と、情報領域の色（X2_F, Y2_F, Z2_F）との等色関係が成り立たないので、観察者には異なる色に見えることとなる。
【００５６】
＜出力処理＞
次に、本実施例１に係る画像処理装置における出力処理の手順について、図２に示すフローチャートを用いて説明する。
【００５７】
まず、ステップＳ２０１において、画像取得部１０３は、画像記憶部１０２に記憶されている情報埋め込み済み画像データおよび領域判別用レイヤー画像を取得する。
【００５８】
次に、ステップＳ２０２において、メタメリックペア用色材量算出部１０４は、情報埋め込み領域の背景領域、および情報領域の色が、メタメリックペアの関係となるような色材量を算出する。
【００５９】
次に、ステップＳ２０３において、汎用色分解部１０５は、情報埋め込み済み画像に対し、一般的に用いられる色分解の方法を用いて、情報埋め込み領域以外の領域の色材量を算出する。
【００６０】
次に、ステップＳ２０４において、カラーフィルタ用色材量算出部１０６は、Ｓ２０２において算出されるメタメリックペアとなる色材に対し、条件等色が成り立たないようにするためのカラーフィルタ用の色材量を算出する。
【００６１】
次に、ステップＳ２０５において、色変換部１０８は、情報埋め込み済み画像の色変換を行う。すなわち、情報埋め込み領域に対しては、Ｓ２０２にて算出した色材量に、一方、情報埋め込み領域以外の領域に対しては、Ｓ２０３にて算出した色材量に基づき、画像データを色材量データに変換する。
【００６２】
次に、ステップＳ２０６において、画像出力部１０９は、色変換された画像データを画像出力装置１１１に印刷させる。
【００６３】
次に、Ｓ２０７において、カラーフィルタ出力部１１０は、算出したカラーフィルタの色材量を画像出力装置１１１へ送信する。そして、画像出力装置１１１は、カラーフィルタの色材量に基づいて、透明フィルム等、透過型のメディアを媒体としたカラーフィルタを印刷する。
【００６４】
以上説明したように、本発明では、特別な測定器やカラーフィルタを有していない一般ユーザであっても、出力されたカラーフィルタを用いることにより、容易に印刷物の真偽を判別することが可能となる。
【００６５】
（実施例２）
実施例１では、情報埋め込み済み画像における情報埋め込み領域のＲＧＢ値から変換したＬａｂ値について、メタメリックペアとなるような色材量を算出している。実施例２では、情報埋め込み領域のＲＧＢ値を用いることなく、メタメリックペアとなる色材量を算出する方法について説明する。
【００６６】
実施例２に係る画像処理装置７０１のブロック図を図７に示す。尚、画像記憶部７０２、画像取得部７０３、画像出力部７０９、および画像出力装置７１１はそれぞれ、実施例１における画像処理装置１００における動作と同一のため、本実施例においては説明を省略する。
【００６７】
メタメリックペア用色材量記憶部７０４は、情報埋め込み領域における情報領域と背景領域とがメタメリックペアの関係になるような特定の色に対する色材量を予め記憶する。
【００６８】
プリンタプロファイル記憶部７０５は、情報埋め込み済み画像に対し、情報埋め込み領域以外の領域の色材量を算出するために、各色と色材量とを関連付けたプリンタプロファイルを記憶する。
【００６９】
カラーフィルタ用色材量記憶部７０６は、メタメリックペアの関係となる特定の色に対して、等色条件を成り立たなくするために用いるカラーフィルタに必要となる色材量を予め記憶する。
【００７０】
図８は、実施例２に係る画像処理のフローチャートを示す。
【００７１】
まず、ステップＳ８０１において、画像取得部７０３は、情報埋め込み済み画像記憶部７０２に記憶されている情報埋め込み済み画像および領域判別用レイヤー画像を取得する。
【００７２】
次に、ステップＳ８０２において、色変換部７０８は、取得した情報埋め込み済み画像の背景領域に必要となる色材量をメタメリックペア用色材量記憶部７０４から取得する。
【００７３】
次に、ステップＳ８０３において、色変換部７０８は、取得した情報埋め込み済み画像の情報領域に必要となる色材量をメタメリックペア用色材量記憶部７０４から取得する。
【００７４】
次に、Ｓ８０４において、色変換部７０８は、情報埋め込み済み画像中の非情報埋め込み領域の各画素のＲＧＢ値をＬａｂ値に変換し、当該Ｌａｂ値を再現するために必要となる色材量をプリンタプロファイル記憶部７０５から取得する。
【００７５】
次に、ステップＳ８０５において、画像出力部７０９は、情報埋め込み済み画像および領域判別用レイヤー画像を画像出力装置７１１に送信する。なお、画像出力部７０９は、情報埋め込み済み画像の非情報埋め込み領域に必要となる各画素の色材量、背景領域に必要となる色材量、および情報領域に必要となる色材量についても画像出力装置７１１に出力する。
【００７６】
そして、画像出力装置７１１は、情報埋め込み済み画像に基づいた印刷物を出力する。具体的に、画像出力装置７１１は、情報埋め込み済み画像の非情報埋め込み領域について、取得した色材量に従って印刷する。また、画像出力装置７１１は、領域判別用レイヤー画像に基づいて、情報埋め込み済み画像における情報埋め込み領域を特定する。そして、画像出力装置７１１は、特定した情報埋め込み領域の背景領域について、取得した色材量に従って印刷する。また、画像出力装置７１１は、特定した情報埋め込み領域の情報領域について、取得した色材量に従って印刷する。
【００７７】
次に、ステップＳ８０６において、カラーフィルタ出力部７１０は、カラーフィルタを印刷するために必要となる色材量をカラーフィルタ用色材量記憶部７０６から取得して、これを画像出力装置７１１に送信する。
【００７８】
そして、画像出力装置７１１は、カラーフィルタの色材量に基づいて、透明フィルム等、透過型のメディアを媒体としたカラーフィルタを印刷する。
【００７９】
このように実施例２では、以上説明した処理制御を行うことで、真偽判別に用いるメタメリックペアの色材量を実施例１のようにリアルタイムで計算する処理が不要となり、画像出力に要する時間を短縮することが可能となる。
【００８０】
＜他の実施例＞
上記、実施例１、および、実施例２においては、１種類のカラーフィルタを作成し、照明光源を直接照射した場合に、情報埋め込み領域における、背景領域と情報領域が等色し、カラーフィルタを介して照明を照射した場合に等色しない例について述べた。
【００８１】
しかしながら、出力するカラーフィルタは、１種類に限定されるものではなく、複数種類あっても良い。すなわち、２種類のカラーフィルタＦ１，およびＦ２を出力する。このとき、カラーフィルタＦ１を介して照明を照射した場合、情報埋め込み領域における、背景領域と情報領域が条件等色となり、カラーフィルタＦ２を介して照明を照射した場合、条件等色とならないようにしても良い。
【００８２】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【００８３】
以上本発明にかかる実施形態を説明したが、実施形態の処理の多くは、情報処理装置上で実行されるコンピュータプログラムによるものであるので、当然、本発明はかかるコンピュータプログラムをもその範疇とする。通常、コンピュータプログラムはＲＡＭやＲＯＭ、またはＣＤ−ＲＯＭ等のコンピュータ可読記憶媒体に格納されており、それをコンピュータにセットし、システムにコピーもしくはインストールすることで実行可能になる。従って、かかるコンピュータ読み取り可能な記憶媒体も当然に本発明の範疇に入る。
【図１】
0005641827.tif 000006
【図２】
0005641827.tif 000007
【図３】
0005641827.tif 000008
【図４】
0005641827.tif 000009
【図５】
0005641827.tif 000010
【図６】
0005641827.tif 000011
【図７】
0005641827.tif 000012
【図８】
0005641827.tif 000013